(57)【要約】【課題】ディスク上の傷やごみ、埃が付着することにより正しく記録できないことにより重要な情報を失ってしまうことがあった。【解決手段】ディスク上に第１の光スポットを用いて情報を記録する手段と、前記第１の光スポットよりもディスクの半径方向に先行する位置に第２の光スポットを生成しその反射光量を検出する反射光量検出手段と、前記反射光量を用いて前記記録手段の記録動作を制御する動作制御手段とを備えたことにより、情報の記録を行う第１の光スポットよりも先行する第２の光スポットの反射光量からディスク上の傷やゴミ、埃の付着を検出しそのエリアへの記録を回避することにより、記録できないエリアに情報を記録しその情報を失ってしまうことを回避することができる。【選択図】図１
2006216169.tif 000002
【特許請求の範囲】
【請求項１】
光ディスクの情報面に第１の光スポットを形成し情報列を記録する記録手段と、
前記第１の光スポットよりもディスクの半径方向に先行する位置に第２の光スポットを生成する第２光スポット生成手段と、
前記第２光スポット生成手段により生成された第２の光スポットからの反射光量を検出する反射光量検出手段と、
前記反射光量を用いて前記記録手段の記録動作を制御する動作制御手段とを備え、
前記動作制御手段は、前記第２の光スポットの反射光量によりディスク状態を検出し、
前記第１の光スポットの記録動作の制御を行う光ディスク装置。
【請求項２】
前記第２光スポット生成手段が用いる光の波長は、前記第１の光スポットを生成する光とは異なった波長であることを特徴とする請求項第１の光ディスク装置。
【請求項３】
前記第２光スポット生成手段は、前記第１の光スポットを形成する光源から出射される光の一部を用いて前記第２の光スポットを生成することを特徴とする請求項１記載の光ディスク装置。
【請求項４】
前記第２光スポット生成手段が用いる光は、３ビーム方式のサブビームを用いて構成されていることを特徴とする請求項１記載の光ディスク装置。
【請求項５】
前記光ディスクが複数の記録層を有し、前記複数の記録層間で半径方向の記録の向きが異なる場合は、前記第２の光スポットは前記第１の光スポットの内周側および外周側に設け、記録層ごとに第１の光スポットによる記録動作の制御に用いる光スポットを切り換えることを特徴とする請求項１から４いずれかに記載の光ディスク装置。
【請求項６】
前記動作制御手段は、前記第２の光スポットの反射光量が第１の所定値よりも低くなると記録を停止することを特徴とする請求項１から５いずれかに記載の光ディスク装置。
【請求項７】
前記記録制御手段は前記反射光量が第１の所定値よりも低くなると記録を中断して半径方向に所定量先にジャンプし、そこで記録を再開することを特徴とする請求項１から５いずれかに記載の光ディスク装置。
【請求項８】
前記記録制御手段は前記反射光量が第１の所定値よりも低くなると記録を中断して半径方向に光スポットの移動を行い、前記反射光量が第２の所定値よりも高くなったところから記録を再開することを特徴とする請求項１から５いずれかに記載の光ディスク装置。
【発明の詳細な説明】
【技術分野】
【０００１】
本発明はディスク上に光ビームを照射し情報の記録を行う光ディスク装置に関する。特にディスク上の傷やゴミ、埃などにより情報が正しく記録されないということが発生しないようにする光ディスク装置に関する。
【背景技術】
【０００２】
レーザー等の光源を用いて情報担体に対し光学的に情報の記録を行うためには、光ビームの焦点（収束点）が情報担体の情報トラック上にあるようにフォーカス制御およびトラッキング制御を行う必要があり、情報担体の表面に傷やゴミ、埃などがあると情報を正しく記録できず大切な情報を失ってしまうことになる。そこでそのような傷やゴミ、埃などが付着した情報担体に対しても確実に情報の記録を行い大切な情報を失わないようにする制御技術が要求される。
【０００３】
そして、従来のディスク制御装置では制御性能の向上を図るために複数のレーザービームを用いた方法が行われている（例えば、特許文献１参照）。
【０００４】
以下、従来のディスク制御装置について図６、図７を用いて説明する。
【０００５】
図６は従来の光ディスク装置の構成を示す構成図であり、図７はディスク上の傷やゴミ、埃の上を光ビームが通過した場合のトラッキング誤差信号を示す動作説明波形図である。
【０００６】
図６において、ディスク１上に２つのビームスポットを形成しそれぞれの光検出回路１１Ａ、１１Ｂを用いてそれぞれのトラッキング誤差信号を作成し、それらを用いてトラッキングサーボ制御回路１４が光検出回路１１（１１Ａ，１１Ｂ）の位置を制御する構成となっている。
【０００７】
以上のように構成された従来のディスク制御装置においてディスク１上に傷やゴミ、埃があった場合の動作を図７の動作説明波形図を用いて説明する。
【０００８】
ディスク１上において光検出回路１１Ａの光スポットが照射されている部分に傷やゴミ、埃が付着していた場合に光検出回路１１Ａ，１１Ｂの出力するトラッキング誤差信号はそれぞれ図中のａ，ｂのような波形になる。このときにトラッキングサーボ制御回路は前記２つのトラッキング誤差信号ａ，ｂの平均値を取りその平均値を用いてトラッキング制御を行うことによりディスク１上の傷やゴミ埃により乱れたトラッキング誤差信号の影響を半分に抑えることができ制御の乱れを防ぎ安定したトラッキング動作を確保することができる。
【特許文献１】特開２０００−１１４１３号公報（図６）
【発明の開示】
【発明が解決しようとする課題】
【０００９】
このような光ディスク装置はディスク上の傷やゴミ、埃に対して常に安定したトラッキング制御を行うことは可能であるが、記録動作においてはディスク上の傷やゴミ、埃により情報が正しく記録できないことがありトラッキング制御の安定性を向上させるだけでは不十分である。また、上記構成では２つのトラッキング誤差信号を作成する必要があるため光学構成が２組必要となり極めて大きなコストアップの要因となる。
【課題を解決するための手段】
【００１０】
上記課題を解決するため、本発明の光ディスク装置はディスク上に光スポットを用いて情報を記録する手段と、前記第１の光スポットよりもディスクの半径方向に先行する位置に第２の光スポットを形成しその反射光量を検出する反射光量検出手段と、前記反射光量を用いて前記記録手段の記録動作を制御する動作制御手段とを備えたことを特徴とする。
【００１１】
これにより、情報の記録を行う第１の光スポットよりも先行する第２の光スポットの反射光量から光ディスク上の傷やゴミ、埃の付着を検出しそのエリアへの記録を回避することにより、記録できないエリアに情報を記録しその情報を失ってしまうことを回避することができる。
【００１２】
また、本発明の光ディスク装置は前記第２の光スポットを前記第１の光スポットを生成する光源とは違う波長の光源を用いることを特徴とする。
これにより、複数種類の光ディスクに対する記録再生を行う光ディスク装置で複数の波長の光源を備える場合は記録を行わない側の光源を用いて前記第２の光スポットを生成することが可能であり、新規に光源を追加する必要がなくコストアップ無しに実現することができる。
【００１３】
さらに、本発明の光ディスク装置は前記第１の光スポットを生成する光源から出射される光のうち前記第１の光スポットの生成に用いられないものを用いて第２の光スポットを生成することを特徴とする。
【００１４】
これにより、前記第２の光スポットを生成するために別の光源を追加する必要がなくコストアップを抑えて実現することができる。
【００１５】
また、本発明の光ディスク装置は前記第１の光スポットが３ビーム構成であり、前記第２の光スポットは前記第１の光スポットのサブビームの片側を用いることを特徴とする。
【００１６】
これにより、前記第２の光スポットが前記第１の光スポットに含まれており新規に光学系を追加する必要がなくさらにコストアップを抑えて実現することができる。
【発明の効果】
【００１７】
本発明によれば、ディスク上に第１の光スポットを生成し情報を記録する手段と、前記第１の光スポットよりもディスクの半径方向に先行する位置に第２の光スポットを生成しその反射光量を検出する反射光量検出手段と、前記反射光量を用いて前記記録手段の記録動作を制御する動作制御手段とを備えたことにより、情報の記録を行う第１の光スポットよりも先行する第２の光スポットの反射光量からディスク上の傷やゴミ、埃の付着を検出しそのエリアへの記録を回避することにより、記録できないエリアに情報を記録しその情報を失ってしまうことを回避することができる。
【００１８】
また、本発明の光ディスク装置は前記第２の光スポットを前記第１の光スポットを生成する光源とは違う波長の光源を用いることにより、複数種類のディスクに対する記録再生を行う光ディスク装置で複数の波長の光源を備える場合は記録を行わない側の光源を前記第２の光スポットを生成する光源として使用することが可能であり、新規に光源を追加する必要がなくコストアップ無しに実現することができる。
【００１９】
さらに、本発明の光ディスク装置は前記第１の光スポットを生成する光源から出射される光のうち前記第１の光スポットの生成に用いられないものを用いて第２の光スポットを生成することにより、前記第２の光スポットを生成するために別の光源を追加する必要がなくコストアップを抑えて実現することができる。
【００２０】
また、本発明の光ディスク装置は前記第１の光スポットが３ビーム構成であり、前記第２の光スポットは前記第１の光スポットのサブビームのどちらか一方を用いることにより、前記第２の光スポットが前記第１の光スポットに含まれており新規に光学系を追加する必要がなくさらにコストアップを抑えて実現することができる。
【発明を実施するための最良の形態】
【００２１】
（実施の形態１）
図１は本発明の光ディスク装置の第１の実施例の構成図を示す。図１において、従来例と同じ構成要素については同一番号を付してその説明を省略する。ディスク１は円周方向に情報列が記録された情報面を有したディスクであり、内周から外周に向けて記録が行われる。青色レーザー駆動回路３２はヘッド５の中にある青色レーザー（図示せず）を駆動しディスク１上に第１の光スポットを形成する。記録信号生成回路３１は前記青色レーザー駆動回路３２を駆動し第１の光スポットによりディスク１上への記録を行う。赤色レーザー駆動回路３３はヘッド５の中にある赤色レーザー（図示せず）を駆動しディスク１上に第２の光スポットを形成する。ここで、前記第２の光スポットは前記第１の光スポットよりもディスクの半径方向に先行する位置にある。反射光量検出回路２１はディスク１上に形成された第２の光スポットから返ってくる反射光量値を検出する。動作制御回路２２は前記反射光量検出回路２１が出力する第２の光スポットからの反射光量値に応じて前記記録信号生成回路３１を制御する。ヘッド送り駆動回路４１は前記動作制御回路２２によりコントロールされ前記光ヘッド５を前記ディスク１の半径方向に移動させる。
【００２２】
以上のように構成されたディスク制御装置について図２を用いてその動作を説明する。
【００２３】
図２は前記第１の光スポットによる記録が行われているときに前記反射光量検出回路２１が検出する前記第２の光スポットからの反射光量値ｃと、前記動作制御回路２２が出力する制御信号ｄ，ｅの変化を示すタイミングチャートである。
【００２４】
第1の光スポットよりも先行する第２の光スポット位置のディスク１上に傷やゴミ、埃等が付着したエリアにさしかかると第２の光スポットからの反射光量は低下し前記反射光量検出回路２１が出力する反射光量値は図２のｃに示すように低下を始めそのエリアを通過後に従来と同じ反射光量値に戻る。
【００２５】
第1の制御パターンでは前記反射光量検出回路２１の出力する反射光量値ｃが第1の所定値よりも低くなると前記動作制御回路２２は前記ディスク１が記録性能を確保できないディスクであると判断し記録動作を停止する。
【００２６】
また、第２の制御パターンでは前記反射光量検出回路２１の出力する前記反射光量値ｃが第１の所定値よりも低くなるとそのエリアが記録性能を確保できないエリアであると判断し記録動作を停止しヘッド送り駆動回路４１に指令を出して光ヘッド５を所定量先に送った後に前記反射光量値ｃが第１の所定値よりも高くなっていたら記録動作を再開する。
【００２７】
さらに、第３の制御パターンでは前記反射光量検出回路２１の出力する前記反射光量値ｃが第１の所定値よりも低くなるとそのエリアが記録性能を確保できないエリアであると判断し記録動作を停止しヘッド送り駆動回路４１に指令を出して光ヘッド５を先に送る。そして、前記動作制御回路２２は常に前記反射光量検出回路２１が出力する反射光量値ｃを監視しておりその値が第２の所定値よりも高くなると記録性能を確保できるエリアに入ったと判断し記録動作を再開する。
【００２８】
以上のように本実施例によれば、ディスク１上に情報を記録する第１の光スポットよりもディスクの半径方向に先行する位置に第２の光スポットを形成しその反射光量を検出する反射光量検出手段２１と、前記反射光量値を用いて前記記録信号生成回路３１を制御する動作制御手段２２とを備え、前記反射光量検出手段２１の出力によりディスク上の傷やゴミ、埃の付着を検出しそのエリアへの記録を回避することにより、記録できないエリアに情報を記録しその情報を失ってしまうことを回避することができる。
【００２９】
また、本実施例では一つの光ヘッドに波長の違う２種類のレーザーが搭載されている仕様であり、複数種類のディスクを記録再生するドライブであれば既にそのような構成になっているため、全く構成要件を追加することなく実現可能でありコストアップやサイズアップの発生も少なくきわめて容易に実現することができる。
【００３０】
そして、本実施例では第１の所定値および第２の所定値は正常な記録状態での反射光量値よりも低く設定されているが、付着するゴミや埃によっては逆に通常の記録状態よりも高いレベルに所定値1および２を設定し、所定値１よりも高くなると記録を停止するとともに所定値２よりも低くなると記録を再開するような構成も有効であり、本実施例に限定されるものではない。
【００３１】
さらに、上記実施例では前記第１および第２の所定値は固定値として説明しているが正常な記録状態での反射光量は前記ディスク１の反射率によって変化するためその時の値をもとに前記第１および第２の所定値を設定する方法も可能であり本実施例に限定されるものでない。
【００３２】
（実施の形態２）
図３は本発明の光ディスク装置の第２の実施例の構成図を示す。図３において、従来例および第１の実施例と同じ構成要素については同一番号を付してその説明を省略する。レーザー２は前記第１の実施例では図示されていなかったが、前記ディスク１に照射する光の光源であり、前記ディスク１上に形成される第１の光スポットによって前記ディスク１上に情報を記録する。ミラー３は前記レーザー２から出射された光のうち前記第１の光スポットの生成には用いられない部分の光を取りだし前記ディスク１上の前記第１の光スポットよりもディスク１の半径方向に先行する位置に光を照射する。ディテクタ４は前記ミラー３によって前記ディスク１上に照射された光の反射光を検出する。
【００３３】
以上のように構成された光ディスク装置において、前記第１の実施例における第２の光スポットと同じ役割をするのが前記ミラー３によって前記ディスク１に照射される光であり、その動作は前記第１の実施例の図２で示す仕様と同じになる。
【００３４】
以上のように本実施例によれば、前記レーザー２から出射される光のなかで情報の記録を行う前記第１の光スポットの生成に用いられない部分を取りだす前記ミラー３と、前記ミラー３により取り出された光が前記第１の光スポットよりも前記ディスク１の半径方向に先行する位置に照射され反射された光を検出するディテクタ４と、そのディテクタ４の出力よりその反射光量を検出する反射光量検出手段２１と、前記反射光量値を用いて前記記録信号生成回路３１を制御する動作制御手段２２とを備え、前記反射光量検出手段２１の出力によりディスク１上の傷やゴミ、埃の付着を検出しそのエリアへの記録を回避することにより、記録できないエリアに情報を記録しその情報を失ってしまうことを回避することができる。
【００３５】
また、本実施例ではレーザー２が出力する光の中で第１の光スポットの形成に用いられていない余分な光を用いる構成であり、第１の光スポットの光量が低減することもなく、新たな光源を追加する必要もなくきわめて容易に実現することができる。
【００３６】
そして、本実施例では第１の所定値および第２の所定値は正常な記録状態での反射光量値よりも低く設定されているが、付着するゴミや埃によっては逆に通常の記録状態よりも高いレベルに所定値1および２を設定し、所定値１よりも高くなると記録を停止するとともに所定値２よりも低くなると記録を再開するような構成も有効であり、本実施例に限定されるものではない。
【００３７】
さらに、上記実施例では前記第１および第２の所定値は固定値として説明しているが正常な記録状態での反射光量は前記ディスク１の反射率によって変化するためその時の値をもとに前記第１および第２の所定値を設定する方法も可能であり本実施例に限定されるものでない。
【００３８】
（実施の形態３）
図４は本発明の光ディスク装置の第３の実施例の構成図であり、図５は本実施例の光ディスク装置の光ビーム形状を示す説明図である。図４および図５において、従来例および第１および第２の実施例と同じ構成要素については同一番号を付してその説明を省略する。ディスク1は複数の記録層を持っておりその記録方向は記録層Ａ：１Ａと記録層Ｂ：１Ｂで逆方向となっている。光ヘッド７は３ビーム構成でありディスク1上には図５に示すような光スポットが形成される。３ビームは１つのメインビームと２つのサブビームから構成されており、メインビームは記録トラックの中心に照射され、２つのサブビームはそれぞれ前記記録トラックとその隣接トラックとの中間位置に照射される。ディテクタ８はディスク１上に形成された前記３ビームからの反射光をそれぞれ検出する。
【００３９】
以上のように構成された光ディスク装置において、前記第１の実施例における第２の光スポットと同じ役割をするのが前記２つのサブビームのどちらか一方であり、その動作は上記第１の実施例の図２で示す仕様と同じになる。本実施例の場合はディスク１が複数の記録層１Ａ、１Ｂを持っておりその記録方向が異なるため記録を行う層によって第２の光スポットとして機能するサブビームを切り換え、常にメインビームよりもディスクの半径方向に先行する側のサブビームを用いる。
【００４０】
以上のように本実施例によれば、３ビーム構成の光ヘッドとそのメインビームおよびサブビームの反射光を検出するディテクタ８と、そのディテクタ８の出力よりその反射光量を検出する反射光量検出手段２１と、前記反射光量値を用いて前記記録信号生成回路３１を制御する動作制御手段２２とを備え、前記反射光量検出手段２１の出力によりディスク上の傷やゴミ、埃の付着を検出しそのエリアへの記録を回避することにより、記録できないエリアに情報を記録しその情報を失ってしまうことを回避することができる。
【００４１】
また、本実施例では３ビーム構成光ヘッドのサブビームを用いる構成であり、特に新たな光学系部品を追加する必要もなくきわめて容易に実現することができる。
【００４２】
そして、本実施例では第１の所定値および第２の所定値は正常な記録状態での反射光量値よりも低く設定されているが、付着するゴミや埃によっては逆に通常の記録状態よりも高いレベルに所定値1および２を設定し、所定値１よりも高くなると記録を停止するとともに所定値２よりも低くなると記録を再開するような構成も有効であり、本実施例に限定されるものではない。
【００４３】
さらに、上記実施例では前記第１および第２の所定値は固定値として説明しているが正常な記録状態での反射光量は前記ディスク１の反射率によって変化するためその時の値をもとに前記第１および第２の所定値を設定する方法も可能であり本実施例に限定されるものでない。
【産業上の利用可能性】
【００４４】
本発明にかかる光ディスク装置は、新たな光源等を追加することなく、傷や埃等が付着した領域への記録を回避することができるので、ディスク上の傷やゴミ、埃等に対する記録性能の確保が必要な光ディスク装置等において有用である
【図面の簡単な説明】
【００４５】
【図１】本発明の実施形態１の光ディスク装置の概略構成図
【図２】本発明の実施形態の光ディスク装置の動作説明波形図
【図３】本発明の実施形態２の光ディスク装置の概略構成図
【図４】本発明の実施形態３の光ディスク装置で概略構成図
【図５】本発明の実施形態３の光ディスク装置の光ヘッドが生成する光スポットの説明図
【図６】従来のディスク制御装置の概略構成図
【図７】従来のディスク制御装置の動作説明波形図
【符号の説明】
【００４６】
１    ディスク
１Ａ    情報面Ａ
１Ｂ    情報面Ｂ
２    レーザー
３    ミラー
４，８    ディテクタ
５，６，７    光ヘッド
１１Ａ，１１Ｂ    光検出回路
１３，１６    トラッキング誤差信号生成回路
１４    トラッキングサーボ制御回路
２１    反射光量検出回路
２２    動作制御回路
３１    記録信号生成回路
３２    青色レーザー駆動回路
３３    赤色レーザー記録回路
４１    ヘッド送り駆動回路
ａ，ｂ    トラッキング誤差信号
ｃ    反射光量値
ｄ，ｅ    制御信号
【図１】
2006216169.tif 000003
【図２】
2006216169.tif 000004
【図３】
2006216169.tif 000005
【図４】
2006216169.tif 000006
【図５】
2006216169.tif 000007
【図６】
2006216169.tif 000008
【図７】
2006216169.tif 000009